(57)【要約】      （修正有）【課題】薄膜回路板の穴の数を減少させ、薄膜回路板の配線デザインや配置が簡単となり、キーボードの製造コストを低下させる。【解決手段】発光キーボードは、入光面２、底面３及び出光面４を有する導光板１と、導光板１の入光面２の一方の側に設けられている光源５と、導光板１の底面３に設けられている第１反射板６と、導光板１の出光面４に設けられている第２反射板７と、第２反射板７の上に設けられている補強板８と、補強板８の上に設けられており、弾性素子１０を有している薄膜回路板９と、薄膜回路板９の上に設けられており、薄膜回路板９の弾性素子１０に対応する位置に第１孔１２が設けられ、該第１孔１２の周囲に複数の第１固定部材１３及び複数の第２固定部材１４とを有する支持部材１１と、支持部材１１の上に設けられているシザース部材１５と、シザース部材１５の上に設けられているキートップ１６とを含む。【選択図】図１
2009277645.tif 000002
【特許請求の範囲】
【請求項１】
入光面、底面及び出光面を有する導光板と、
前記導光板の入光面の一方の側に設けられている光源と、
前記導光板の底面に設けられており、前記光源からの光を反射し前記導光板に入射させるための第１反射板と、
前記導光板の出光面の上に設けられている第２反射板と、
前記第２反射板の上に設けられており、弾性素子を有している薄膜回路板と、
前記薄膜回路板の上に設けられており、前記薄膜回路板の弾性素子に対応する位置に第１孔が設けられ、該第１孔の周囲に複数の第１固定素子及び複数の第２固定素子とを有している支持部材と、
前記支持部材の上に設けられているシザース部材と、
前記シザース部材の上に設けられているキートップと、
を含み、
前記シザース部材の一方の側はそれぞれ前記支持部材の第１固定素子と第２固定素子に連結されており、
前記シザース部材の他方の側はそれぞれ前記キートップの底部に連結されており、
前記薄膜回路板の弾性部材は前記支持部材の第１孔及び前記シザース部材を貫通して前記キートップの底部に接触しており、
前記第２反射板は前記導光板の出光面から出射する光の一部を通過させ、他の一部の光を反射して前記導光板の出光面に返すことを特徴とする発光キーボード。
【請求項２】
前記薄膜回路板と前記第２反射板との間にはさらに補強板が設けられており、該補強板には複数のかしめ突起部材が設けられていることを特徴とする請求項１記載の発光キーボード。
【請求項３】
前記薄膜回路板と前記第２反射板との間にはさらに、液体の滲入を防止し前記発光キーボードを保護するための防水板が設けられていることを特徴とする請求項１記載の発光キーボード。
【請求項４】
前記薄膜回路板と前記支持部材には複数のかしめ孔が設けられており、前記補強板のかしめ突起部材を前記薄膜回路板と前記支持部材のかしめ孔に貫通させることにより、それらを積層してかしめることを特徴とする、請求項２の発光キーボード。
【請求項５】
前記光源は第１回路板に設置されており、前記光源は前記導光板の側辺に位置していることを特徴とする請求項１記載の発光キーボード。
【請求項６】
前記導光板の入光面と底面は交差しており、前記導光板の底面は出光面と対向しており、前記光源が光を前記導光板の入光面に投射したあと、該光は前記導光板の出光面から射出されることを特徴とする請求項５記載の発光キーボード。
【請求項７】
前記第２反射板と前記導光板との間にはさらに液体の滲入を防止し前記発光キーボードを保護するための防水板が設けられていることを特徴とする請求項１記載の発光キーボード。
【発明の詳細な説明】
【技術分野】
【０００１】
本発明はキーボードに関するものであり、特にキーボードを発光させることができると共に、キーボードの製造コストを低下させ、回路のデザインを容易にさせる発光キーボードに関するものである。
【背景技術】
【０００２】
近年、コンピューターは普及しており、そのため、コンピューターの性能の進歩だけではなく、コンピューターの周辺装置（たとえば、マウスやキーボードなどの補助工具）の使用上の利便性及び美観性に関しても使用者から重要視されている。そして、情報産業の発展につれ、仕事においても、個人用途においても、デスクトップ型のコンピューター及びノードパソコンはすでに一般人の生活に浸透されている。コンピューターは情報交換、ビジネス交渉、取引先との連絡、文書処理やＣＧデザインなどのいろいろな分野に広く使用されているため、日常生活においてのコンピューターの重要性は言うまでもない。そして、コンピューターの周辺装置において、極めて重要な入力装置の一つとして、キーボードを挙げられる。しかし、使用環境により、環境光線が不足している場合もあり、また、キーボードの美観性の向上のため、発光キーボードが開発されている。
【０００３】
特許文献１の「発光キーボード」においては、下記のような発光キーボードが掲示されていた。キーボード部はキーボードの底部ハウジングに設置されており、該キーボード部は底板と、薄膜回路板と、少なくとも１つのキートップと、少なくとも１つの弾性部材と、少なくとも１つのシザース部材とを有している。底板上には複数の突起する固定部材が設置されており、シザース部材の一端は底板の固定部材に連結されており、シザース部材の他端はキートップが底板に対して上下移動可能となるようにキートップに連結されている。弾性部材は薄膜回路板とキートップとの間に設置されており、キートップを上に向かって支持する。
【先行技術文献】
【特許文献】
【０００４】
【特許文献１】中華民国専利公告第ＴＷ５０９９５５号
【発明の概要】
【発明が解決しようとする課題】
【０００５】
前記構成において、シザース部材の一端を底板の固定部材と連結しようとするとき、シザース部材の一端はまず前記薄膜回路板上の穴を貫通しなければならない。しかし、このような連結法では、薄膜回路板上の穴の数は数倍に増やすこととなる。そのため、薄膜回路板の回路デザインや配置はさらに複雑化となり、しかも、キーボードのコストの増加にも繋がる。
【０００６】
そのため、従来技術において、シザース部材の一端はまず薄膜回路板上の穴を貫通してから底板の固定部材と連結するようになっていた。したがって、薄膜回路板の穴の総数は大幅に増加し、コストの増大及びプロセスの複雑化を引き起こす。このような欠点は、改進する余地がある。
【０００７】
本発明の目的は下記のような発光キーボードを提供することである。すなわち、本発明の発光キーボードにおいて、シザース部材の一方の側がそれぞれ支持ラックの第１固定部材と第２固定部材に接続されており、シザース部材の他方の側がそれぞれキートップの底部に接続されており、第１回路板の弾性部材は支持ラックの第１孔及びシザース部材を貫通してキートップの底部と接触している。そのため、従来技術のおいての薄膜回路板の穴の数を減少させる効果が得られる。それにより、薄膜回路板の配線デザインや配置が簡単となり、キーボードの製造コストの低下にも繋がる。
【０００８】
本発明の他の目的は、下記のような発光キーボードを提供することである。すなわち、本発明の発光キーボードにおいては、さらに第１反射板及び第２反射板が設置されており、これにより、光線を反射する効果が優れており、発光キーボードの発光効率を向上させることができる。
【課題を解決するための手段】
【０００９】
前記目的を達成するために、本発明の発光キーボードは、入光面、底面及び出光面を有する導光板と、前記導光板の入光面の一方の側に設けられている光源と、前記導光板の底面に設けられており、前記光源からの光を反射し前記導光板に入射させるための第１反射板と、前記導光板の出光面の上に設けられている第２反射板と、前記第２反射板の上に設けられており、弾性素子を有している薄膜回路板と、前記薄膜回路板の上に設けられており、前記薄膜回路板の弾性素子に対応する位置に第１孔が設けられ、該第１孔の周囲に複数の第１固定素子及び複数の第２固定素子とを有する支持部材と、前記支持部材の上に設けられているシザース部材と、前記シザース部材の上に設けられているキートップとを含み、前記シザース部材の一方の側はそれぞれ前記支持部材の第１固定素子と第２固定素子に連結されており、前記シザース部材の他方の側はそれぞれ前記キートップの底部に連結されており、該薄膜回路板の弾性部材は前記支持部材の第１孔及び前記シザース部材を通過して前記キートップに接触しており、前記第２反射板は前記導光板の出光面から出射する光の一部を通過させ、他の一部の光を反射して前記導光板の出光面に返すことを特徴とする。
【００１０】
本発明の発光キーボードにおいて、前記薄膜回路板と前記第２反射板との間にはさらに補強板が設けられており、該補強板には複数のかしめ突起部材が設けられている。
【００１１】
本発明の発光キーボードにおいては、前記薄膜回路板と前記第２反射板との間にはさらに液体の滲入を防止し前記発光キーボードを保護するための防水板が設けられていることが好ましい。
【００１２】
本発明の発光キーボードにおいては、前記薄膜回路板と前記支持部材には複数のかしめ孔が設けられており、前記補強板のかしめ突起部材を前記薄膜回路板と前記支持部材のかしめ孔に貫通させることにより、それらを積層してかしめることが好ましい。
【００１３】
本発明の発光キーボードにおいては、前記第２反射板と前記導光板の間にはさらに液体の滲入を防止し前記発光キーボードを保護するための防水板が設けられていることが好ましい。
【００１４】
本発明の発光キーボードにおいては、前記光源は第１回路板に設置されており、前記光源は前記導光板の側辺に位置していることが好ましい。
【００１５】
本発明の発光キーボードにおいては、前記導光板の入光面と底面は交差しており、前記導光板の底面は前記出光面と対向しており、前記光源が光を前記導光板の入光面に投射したあと、該光は前記導光板の出光面から射出されることが好ましい。
【発明の効果】
【００１６】
本発明の利点としては、下記の通りである。
【００１７】
１．防水板を設置することにより、本発明の発光キーボードの防水性を向上でき、液体の滲入を防止し、発光キーボードのショットを防止できる。
【００１８】
２．シザース部材の下側はそれぞれ支持部材の第１固定部材と第２固定部材に接続されている。そして、シザース部材の上側はそれぞれキートップの底部に接続されている。前記キートップ、前記シザース部材と前記支持部材の三者を直接に接続できるため、従来に比べて、薄膜回路板においての穴の数を減らすことができ、製造プロセスの簡単化、回路のデザインの容易化、及び製造コストの低下化にも繋がる。
【００１９】
３．第１反射板及び第３反射板をそれぞれ導光板の底面下方及び導光板の出光面上方に設置しているため、光線を反射する効果が優れ、発光キーボードの発光効率を向上できる。さらに、光線が吸収されることを避けることもできるため、本発明においては、発光キーボードを発光させるための光線を十分に利用できる。
【図面の簡単な説明】
【００２０】
【図１】本発明の発光キーボードの第１実施例の分解斜視図である。
【図２】本発明の発光キーボードの第１実施例の組合せ断面図である。
【図３】本発明の発光キーボードの第２実施例の分解斜視図である。
【発明を実施するための形態】
【００２１】
以下に添付図面を参照しながら、本発明の好適な実施例について詳しく説明する。しかし、当分野の通常知識を有するものであれば、本文に説明した発明の内容を変更することによって本発明の効果が得られることは勿論である。従って、当分野に通常知識を有する者にとって、以下の掲示内容はあくまでも一例に過ぎず、本発明は該掲示内容により限定されるものではない。
【００２２】
図１及び図２はそれぞれ本発明の発光キーボードの第１実施例の分解斜視図及び組立断面図を示している。実際の発光キーボードにおいては、さらに上部ハウジング及び下部ハウジングなどの他の部材が設置されているが、それらの部材は従来のキーボードと類似している。したがって、図面を簡単化するため、それらの部材は省略される。
【００２３】
本発明の発光キーボードは、入光面２と該入光面２と交差している底面３及び該底面３と対向している出光面４とを有する導光板１と、導光板１の入光面２の一方の側に設けられている光源５と、導光板１の底面３に設けられている第１反射板６と、導光板１の出光面４に設けられている第２反射板７と、第２反射板７の上に設けられている補強板８と、補強板８の上に設けられており、弾性素子１０を有している薄膜回路板９と、薄膜回路板９の上に設けられており、薄膜回路板９の弾性素子１０に対応する位置に第１孔１２が設けられ、該第１孔１２の周囲に複数の第１固定素子１３及び複数の第２固定素子１４とを有する支持部材１１と、支持部材１１の上に設けられているシザース部材１５と、シザース部材１５の上に設けられているキートップ１６とを含んでいる。
【００２４】
シザース部材１５の一方の側はそれぞれ支持部材１１の第１固定部材１３及び第２固定部材１４に接続されており、シザース部材１５の他方の側はそれぞれキートップの底側の接続されている。これにより、薄膜回路板９の弾性部材１０は支持部材１１の第１孔１２及びシザース部材１５を貫通してキートップ１６の底部と接触している。キートップ１６が力を受けて下に押えられる時、弾性部材１０は該キートップ１６により下方に向けて変形し、薄膜回路板９のスイッチに接触し、これに応じて信号が生成される。
【００２５】
本発明はさらに補強板８と第２反射板７との間に防水板１７が設置されており、該防水板１７は液体の滲入を防止し、発光キーボードをショットから守る機能を有している。また、光源５は第１回路板１８に設置されており、該光源５は導光板１の側辺に位置しており、該第１回路板１８は光源５に電源を提供するために用いられている。
【００２６】
次に、図２を参照すれば、薄膜回路板９と支持部材１１には複数のかしめ孔１９が設けられており、該補強板８には複数のかしめ突起部材２０が設置されている。補強板８のかしめ突起部材２０を順次に薄膜回路板９と支持部材１１のかしめ孔１９に貫通させることにより、支持部材１１と薄膜回路板９と補強板８は互いに積層されながらかしめられる。
【００２７】
補強板８は、補強板８上方の薄膜回路板９、支持部材１１、シザース部材１５及びキートップ１６の固定を強化する役割を果たしている。
【００２８】
光源５は光を射出し、該光線は導光板１の入光面２に進入したあと、導光板１の出光面４から上に向かって射出する。そして、該光線の一部は、第２反射板７、防水板１７、補強板８、薄膜回路板９、支持部材１１、シザース部材１５を順次通過して、キートップ１６に到達し、該キートップ１６を発光させる。なお、該光線の他の一部は第２反射板７に反射され、導光板１の出光面４に戻される。前記戻された光線は再び、第２反射板７、防水板１７、補強板８、薄膜回路板９、支持部材１１、シザース部材１５を順次通過して、再度キートップ１６に到達する。これにより、発光キーボードの発光効率は向上される。
【００２９】
なお、光源５から射出された光線が導光板１の入光面２に進入したあと、一部の光線は導光板１の底面３から射出されることとなる。しかし、これらの光線は第１反射板６により反射され、そして、この上方に向かって反射された光線は、導光板１、第２反射板７、防水板１７、補強板８、薄膜回路板９、支持部材１１、シザース部材１５を順次通過して、キートップ１６に到達する。これにより、発光キーボードの発光効率はさらに向上される。
【００３０】
図３を参照してください。図３は、本発明の発光キーボードの第２実施例を示す分解斜視図である。本発明の発光キーボードの第２実施例と前記第１実施例の構成はほぼ同様であり、第２実施例においてさらに第２反射板７と導光板１との間に液体の滲入を防止し発光キーボードを保護するための防水板１７が設けられている点のみが異なっている。それに対して、第１実施例において、該防水板１７は薄膜回路板９と第２反射板との間に介在している。
【００３１】
前記実施例により本発明の内容を説明したが、本発明は前記実施例に限定されるものではなく、本発明の技術領域に通常の知識を有するものであれば、本願に記載された範囲内において各種の変更例または修正例を想到し得ることは明らかである。したがって、本発明の権利範囲は、本願の特許請求範囲に準じて定められるべきである。
【符号の説明】
【００３２】
１…導光板、２…入光面、３…底面、４…出光面、５…光源、６…第１反射板、７…第２反射板、８…補強板、９…薄膜回路板、１０…弾性部材、１１…支持部材、１２…第１孔、１３…第１固定部材、１４…第２固定部材、１５…シザース部材、１６…キートップ、１７…防水板、１８…第１回路板、１９…かしめ孔、２０…かしめ突起部材。
【図１】
2009277645.tif 000003
【図２】
2009277645.tif 000004
【図３】
2009277645.tif 000005